(57)【要約】【課題】検査時間を短縮でき、光学素子に傷が発生することなく容易に検査を行うことのできる光学素子検査用治具及び光学素子検査方法を提供する。【解決手段】光学素子検査用治具１０において、治具本体１と蓋部２とを重ね合わせて閉じた状態とした際に、内部に光学レンズ９０を収納する収納部４が形成され、治具本体１に対して蓋部２を開放した際に、治具本体１の載置面Ｘに対向する下面１cを形成する側縁部のうち、蓋部２との接合部側における開閉軸方向の側縁部が、第１テーパー面１dとされ、蓋部２の載置面Ｘに対向する下面２cを形成する側縁部のうち、治具本体１との接合部側における開閉軸方向の側縁部が、第２テーパー面２dとされる。蓋部２を開放した状態で、第１及び第２テーパー面１d，２dを載置面Ｘに当接させることにより、治具本体１及び蓋部２の各下面１c，２cは載置面Ｘに対して傾斜され、かつ、開放した状態が保持される。【選択図】図１
2014231987.tif 000002
【特許請求の範囲】
【請求項１】
載置面に載置して、内部に収納した光学素子を検査するための光学素子検査用治具であって、
治具本体と、
前記治具本体の開閉軸を中心として開閉可能に接合された蓋部と、を備え、
前記治具本体と前記蓋部とを互いに重ね合わせて閉じた状態とした際に、内部に前記光学素子を収納する収納部が形成され、
前記治具本体に対して前記蓋部を開放し、前記光学素子を露出させた際に、前記治具本体の前記載置面に対向する下面を形成する側縁部のうち、前記蓋部との接合部側における開閉軸方向に沿った側縁部が、面取りされた第１テーパー面とされ、前記蓋部の前記載置面に対向する下面を形成する側縁部のうち、前記治具本体との接合部側における開閉軸方向に沿った側縁部が、面取りされた第２テーパー面とされ、
前記治具本体に対して前記蓋部を開放した状態で、前記第１及び第２テーパー面を載置面に当接させることによって、前記治具本体の前記下面及び前記蓋部の前記下面は、前記載置面に対してそれぞれ傾斜され、かつ、前記開放した状態が保持されることを特徴とする光学素子検査用治具。
【請求項２】
載置面に載置して、内部に収納した光学素子を検査するための光学素子検査用治具を使用して、前記光学素子を検査する光学素子検査方法であって、
前記光学素子検査用治具が、
治具本体と、
前記治具本体の開閉軸を中心として開閉可能に接合された蓋部と、を備え、
前記治具本体と前記蓋部とを互いに重ね合わせて閉じた状態とした際に、内部に前記光学素子を収納する収納部が形成され、
前記治具本体に対して前記蓋部を開放し、前記光学素子を露出させた際に、前記治具本体の前記載置面に対向する下面を形成する側縁部のうち、前記蓋部との接合部側における開閉軸方向に沿った側縁部が、面取りされた第１テーパー面とされ、前記蓋部の前記載置面に対向する下面を形成する側縁部のうち、前記治具本体との接合部側における開閉軸方向に沿った側縁部が、面取りされた第２テーパー面とされ、
前記治具本体に対して前記蓋部を開放した状態で、前記第１及び第２テーパー面を載置面に当接させることによって、前記治具本体の前記下面及び前記蓋部の前記下面を、前記載置面に対してそれぞれ傾斜させ、かつ、前記開放した状態を保持させ、前記光学素子を検査することを特徴とする光学素子検査方法。
【発明の詳細な説明】
【技術分野】
【０００１】
本発明は、光学素子検査用治具及び光学素子検査方法に関する。
【背景技術】
【０００２】
従来より、レンズなどの光学製品は、レンズが外気に触れないように運搬したり保管するため、アクリル材料などを用いた収納ケース内に収納されている。収納ケースに収納されたレンズは、洗浄後の検査コート処理や、コート処理後の検査を行う場合に、別の検査装置に移動させる必要がある。そのため、検査装置への移動時にレンズを外気に触れさせてしまい、レンズに埃やゴミ等が付着するという問題がある。
そこで、列状に収納された収納ケースから、レンズを外気に触れない状態で光学素子検査用治具に移して検査する技術が知られている（例えば、特許文献１参照）。具体的には、収納ケースと光学素子検査用治具とを互いに嵌合させた状態のまま、収納ケース内の複数のレンズをスライド移動させることによって、光学素子検査用治具内の収納部に移し替える。その後、光学素子検査用治具において、蓋部を開放することによって収納部に収納されたレンズをそれぞれ検査している。このような検査用治具によれば、収納ケースと光学素子検査用治具とを嵌合させて、レンズをスライド移動させることで、容易にレンズを移し替えでき、検査用治具の蓋部を開放することで任意のレンズも取り出すことができ、さらにハンドリングミスも少なく、単純な構造で容易に製造することができる。
【先行技術文献】
【特許文献】
【０００３】
【特許文献１】特開２０１１−１３０１５号公報
【発明の概要】
【発明が解決しようとする課題】
【０００４】
しかしながら、上記特許文献１の検査用治具を用いてレンズの光学面を含む側面部の検査を行う場合、検査用治具の蓋部を開放して、検査用治具上でレンズ単体をそれぞれピンセット等で掴んで傾けて行う。そのため、検査時間が長時間となり、また、レンズに傷が生じてしまうという問題がある。
本発明は、上記事情に鑑みてなされたもので、検査時間を短縮でき、また、光学素子に傷が発生することなく容易に光学素子の検査を行うことのできる光学素子検査用治具及び光学素子検査方法を提供することを目的としている。
【課題を解決するための手段】
【０００５】
本発明の一の態様によれば、載置面に載置して、内部に収納した光学素子を検査するための光学素子検査用治具であって、
治具本体と、
前記治具本体の開閉軸を中心として開閉可能に接合された蓋部と、を備え、
前記治具本体と前記蓋部とを互いに重ね合わせて閉じた状態とした際に、内部に前記光学素子を収納する収納部が形成され、
前記治具本体に対して前記蓋部を開放し、前記光学素子を露出させた際に、前記治具本体の前記載置面に対向する下面を形成する側縁部のうち、前記蓋部との接合部側における開閉軸方向に沿った側縁部が、面取りされた第１テーパー面とされ、前記蓋部の前記載置面に対向する下面を形成する側縁部のうち、前記治具本体との接合部側における開閉軸方向に沿った側縁部が、面取りされた第２テーパー面とされ、
前記治具本体に対して前記蓋部を開放した状態で、前記第１及び第２テーパー面を載置面に当接させることによって、前記治具本体の前記下面及び前記蓋部の前記下面は、前記載置面に対してそれぞれ傾斜され、かつ、前記開放した状態が保持されることを特徴とする光学素子検査用治具が提供される。
【０００６】
本発明の他の態様によれば、載置面に載置して、内部に収納した光学素子を検査するための光学素子検査用治具を使用して、前記光学素子を検査する光学素子検査方法であって、
前記光学素子検査用治具が、
治具本体と、
前記治具本体の開閉軸を中心として開閉可能に接合された蓋部と、を備え、
前記治具本体と前記蓋部とを互いに重ね合わせて閉じた状態とした際に、内部に前記光学素子を収納する収納部が形成され、
前記治具本体に対して前記蓋部を開放し、前記光学素子を露出させた際に、前記治具本体の前記載置面に対向する下面を形成する側縁部のうち、前記蓋部との接合部側における開閉軸方向に沿った側縁部が、面取りされた第１テーパー面とされ、前記蓋部の前記載置面に対向する下面を形成する側縁部のうち、前記治具本体との接合部側における開閉軸方向に沿った側縁部が、面取りされた第２テーパー面とされ、
前記治具本体に対して前記蓋部を開放した状態で、前記第１及び第２テーパー面を載置面に当接させることによって、前記治具本体の前記下面及び前記蓋部の前記下面を、前記載置面に対してそれぞれ傾斜させ、かつ、前記開放した状態を保持させ、前記光学素子を検査することを特徴とする光学素子検査方法が提供される。
【発明の効果】
【０００７】
本発明によれば、検査時間を短縮でき、また、光学素子に傷が発生することなく容易に光学素子の検査を行うことができる。
【図面の簡単な説明】
【０００８】
【図１】光学素子検査用治具に収納された光学レンズの検査方法を説明するための側面図であり、(a)は光ピックアップレンズ、(b)はコリメータレンズを使用した場合である。
【図２】光学素子検査用治具の外観斜視図である。
【図３】光学素子検査用治具の要部を示した斜視図である。
【図４】光学素子検査用治具を開いた状態の要部を示した斜視図である。
【図５】(a)は、図２のI−I矢視側面図で一部断面を示した図、(b)は、図２のII−II矢視側面図である。
【図６】(a)は、光学素子検査用治具に光学レンズを収納した状態の図２のII−II矢視側面図、(b)は、光学素子検査用治具に光学レンズを収納した状態を模式的に示しており、図２のI−I矢視断面図である。
【図７】(a)は、治具本体の蓋部との対向面における平面図、(b)は、図７(a)のIII−III矢視側面図、(c)は、図７(a)のIV−IV矢視断面図であり、(b)及び(c)は一部の光学レンズが収納されている。
【図８】図７(b)の拡大図である。
【図９】(a)は、蓋部の治具本体との対向面における平面図、(b)は、図９(a)のV−V矢視側面図、(c)は、図９(a)のVI−VI矢視断面図であり、(b)及び(c)は一部の光学レンズが収納されている。
【図１０】図９(b)の拡大図である。
【図１１】収納ケースを光学素子検査用治具に挿入して嵌合させた状態における外観斜視図である。
【図１２】(a)は、収納ケースに光学レンズを収納した状態の側面図、(b)は、収納ケースに光学レンズを収納した状態を模式的に示しており、図１３(a)のIX−IX矢視断面図である。
【図１３】(a)は、第１のケース体の第２のケース体との対向面における平面図、(b)は、図１３(a)のVII−VII矢視側面図である。
【図１４】図１３(b)の拡大図である。
【図１５】(a)は、第２のケース体の第１のケース体との対向面における平面図、(b)は、図１５(a)のVIII−VIII矢視側面図である。
【図１６】図１５(b)の拡大図である。
【発明を実施するための形態】
【０００９】
次に、図面を参照しながら本発明の好ましい実施形態について説明する。
本発明に係る光学素子検査用治具は、収納ケース内に収納された光学素子を当該収納ケースから移し替えて、内部に光学素子を収納し、収納した光学素子を検査するための治具である。
まず、本発明で使用される光学レンズについて説明する。
【００１０】
[光学レンズ]
本発明に係る光学素子検査用治具に列状に収納され検査される光学レンズとしては、例えば、図１(a)、図６(a)に示す光ピックアップレンズや、図１(b)に示すコリメータレンズを使用することができる。
このような光学レンズ９０は、例えば樹脂製が好ましい。また、光学レンズ９０は、図６(a)に示すように、凸状の凸レンズ部９４と、当該凸レンズ部９４の反対側に形成された凸状の凸レンズ部９６と、凸レンズ部９４，９６のほぼ全周にわたって１段の段差を挟んでフランジと呼ばれる略平坦面を有する周辺部９５，９７と、を備える。凸レンズ部９６の厚さ９６ｈは、凸レンズ部９４の厚さ９４Ｈよりも厚く形成されている。
光学レンズ９０は、樹脂で成形した部位で光透過性を有し、特に凸レンズ部９４，９６はレンズ機能（光学機能）を発揮するレンズ有効部（光学面）となっている。これら凸レンズ部９４，９６同士で光軸が互いに一致している。
なお、コリメータレンズの場合、光ピックアップレンズに比べて、凸レンズ部９４，９６の厚みがそれぞれ薄くなっている。
【００１１】
[光学素子検査用治具]
図１に示すように、本発明の光学素子検査用治具１０は、水平な載置面Ｘに載置して、内部に収納した光学レンズ９０の検査を行うための治具である。
光学素子検査用治具１０は、長尺な矩形板状の治具本体１と、治具本体１に対して長手方向の開閉軸を中心として開閉可能に接合された蓋部２と、を備えている。治具本体１と蓋部２とを互いに重ね合わせて閉じた状態とした際に、内部に複数の光学レンズ９０を列状に収納する筒状の第１の収納部４（図６参照）が形成される。
これら治具本体１及び蓋部２は、透明又は半透明の樹脂製であり、例えばアクリル板等を所望形状に削ることによって形成される。
光学素子検査用治具１０は、図１に示すように、治具本体１に対して蓋部２を開放して、光学レンズ９０を露出した状態とした際に、治具本体１の下面１cを形成する側縁部のうち、蓋部２との接合部側における長手方向に沿った側縁部が、面取りされた第１テーパー面１dとなっている。
また、蓋部２の下面２cを形成する側縁部のうち、治具本体１の接合部側における長手方向に沿った側縁部が、面取りされた第２テーパー面２dとなっている。
そして、蓋部２を開放した状態で、第１テーパー面１d及び第２テーパー面２dを載置面Ｘに当接させることによって、治具本体１の下面１c及び蓋部２の下面２cが載置面Ｘに対して傾斜し、かつ、蓋部２が開放した状態で保持されるようになっている。
図３に示すように、第１テーパー面１dは、治具本体１の下面１cを載置面に載置した際に、蓋部２との接合部側に向かって上方へ傾斜している。
第２テーパー面２dは、治具本体１の下面１cを載置面に載置した際に、治具本体１との接合部側に向かって下方へ傾斜している。
【００１２】
ここで、第１テーパー面１dの治具本体１の下面１cに対する傾斜角度や第２テーパー面２dの蓋部２の下面２cに対する傾斜角度は、検査する光学レンズ９０の種類によって適宜変更することが好ましい。
例えば、光学レンズ９０が光ピックアップレンズの場合について説明する。
光ピックアップレンズの場合、レンズ部９６の凸面の傾斜は、レンズ部９４の凸面の傾斜よりもきつくなっているので、第１テーパー面１d及び第２テーパー面２dの傾斜角度をそれぞれ変えることが好ましい。
具体的には、図１(a)に示すように、凸面がきついレンズ部９６側を検査する場合には、凸面のきついレンズ部９６が露出するようにして光学レンズ９０を治具本体１側に収納し、第１テーパー面１dの治具本体１の下面１cに対する傾斜角度Ｋ１が３０〜７０°となるように設定することが好ましい。また、凸面がゆるいレンズ部９４側を検査する場合には、凸面のゆるいレンズ部９４が露出するようにして光学レンズ９０を蓋部２側に収納し、第２テーパー面２dの蓋部２の下面２cに対する傾斜角度Ｋ２が５〜６０°となるように設定することが好ましい。
【００１３】
一方、光学レンズ９０がコリメータレンズの場合には、両面のレンズ部９４，９６の凸面の傾斜がゆるいので、いずれのレンズ部９４，９６を検査する場合にも第１及び第２テーパー面１d，２dの傾斜角度Ｋ３，Ｋ４が５〜６０°となるように設定することが好ましい。
具体的には、図１(b)に示すように、一方のレンズ部９６側を検査する場合には、当該一方の凸面のレンズ部９６が露出するようにして光学レンズ９０を治具本体１側に収納し、第１テーパー面１dの治具本体１の下面１cに対する傾斜角度が５〜６０°となるように設定することが好ましい。また、他方のンズ部９６側を検査する場合には、当該他方のレンズ部９６が露出するようにして光学レンズ９０を蓋部２側に収納し、第２テーパー面２dの蓋部２の下面２cに対する傾斜角度が５〜６０°となるように設定することが好ましい。
このように、光ピックアップレンズの場合には、第１及び第２テーパー面１d，２dのいずれか一方のテーパー面の傾斜角度をきつく、他方のテーパー面の傾斜角度をゆるく設定することが好ましい。コリメータレンズの場合には、第１及び第２テーパー面１d，２dのいずれの傾斜角度もゆるく設定することが好ましい。
【００１４】
以上のように、光学レンズ９０を検査する場合には、治具本体１に対して蓋部２を開放した状態で、第１テーパー面１d及び第２テーパー面２dを載置面Ｘに当接させる。これによって、治具本体１及び蓋部２の各下面１c，２cが載置面Ｘに対して傾斜し、かつ、治具本体１及び蓋部２が開放した状態で保持される。このように開放した状態のまま、顕微鏡等で光学レンズ９０の凸レンズ部９４，９６を検査する。
【００１５】
以下、光学素子検査用治具１０、光学レンズ９０を収納するための収納ケース５０について詳細に説明する。なお、図２以降では、上述の第１及び第２テーパー面１d，２dの傾斜角度が、光ピックアップレンズ用の傾斜角度Ｋ１，Ｋ２となるように記載している。
《治具本体》
図２〜図７に示すように、治具本体１は、長尺な矩形板状をなしている。治具本体１の蓋部２に対向する面で、その一端部１aには、当該一端部１aを切り欠く切欠部１１が形成されている。
切欠部１１は、平面視略矩形状をなしている。
また、治具本体１の蓋部２に対向する面には、光学レンズ９０を長尺方向に沿って並べて収納可能な第１の溝部１２が形成されている。
【００１６】
第１の溝部１２の一端部は切欠部１１に連通し、第１の溝部１２の他端部は治具本体１の他端面を貫通している。図６〜図８に示すように、第１の溝部１２は、治具本体１の表面（蓋部２に対向する面）１Ａから一段窪んで形成された段差部１３と、さらに一段窪んで形成された段差部１４とから形成されており、二段の階段状となっている。
一段目の段差部１３を形成する段差面１３aには、光学レンズ９０の光学面（凸レンズ部９４）以外の部分（周辺部９５）が接触するようになっている。つまり、光学レンズ９０の周辺部９５が段差面１３aに接触して保持されるようになっている。二段目の段差部１４の深さＨは、光学レンズ９０の凸レンズ部９４の高さ９４Ｈよりも深く形成されており、凸レンズ部９４が二段目の段差部１４を形成する段差面１４aに接触しないようになっている。
また、治具本体１の表面１Ａと一段目の段差部１３との間を形成する壁面は、一段目の段差部１３から治具本体１の表面１Ａに向けて幅広となるようなテーパー面１Ｂとされている。このようにテーパー面１Ｂとすることによって、開閉の際に治具本体１が光学レンズ９０に接触するのを回避することができる。
また、治具本体１の第１の溝部１２のうち他端部にはピンＰが差し込まれており、このピンＰによって収納した光学レンズ９０が光学素子検査用治具１０の他端部１０b側から脱落しないようになっている。
【００１７】
《蓋部》
図６、図９、図１０に示すように、蓋部２は、治具本体１と同様に長尺な矩形板状をなしている。蓋部２の治具本体１に対向する面の一端部２aには、当該一端部２aを切り欠く切欠部２１が形成されている。
切欠部２１は、治具本体１の切欠部１１と同様の平面視略矩形状をなし、治具本体１と蓋部２とを閉じた状態とした際に、切欠部２１と治具本体１の切欠部１１とによって筒状の嵌合部３が形成される。嵌合部３には、後述の収納ケース５０の一端部が収納されるようになっている（図１１参照）。
また、蓋部２の治具本体１に対向する面には、光学レンズ９０を長尺方向に沿って並べて収納可能な第１の溝部２２が形成されている。
【００１８】
第１の溝部２２の一端部は切欠部２１に連通し、第１の溝部２２の他端部は蓋部２の他端面を貫通している。第１の溝部２２は、蓋部２の表面（治具本体１に対向する面）２Ａから一段窪んで形成された段差部２３と、さらに一段窪んで形成された段差部２４とから形成されており、二段の階段状となっている。
一段目の段差部２３を形成する段差面２３aには、光学レンズ９０の周辺部９７が接触できるように構成されている。つまり、光学レンズ９０の周辺部９７が段差面２３aに接触して保持されるようになっている。二段目の段差部２４の深さｈは、光学レンズ９０の凸レンズ部９６の高さ９６ｈよりも深く形成されており、凸レンズ部９６が二段目の段差部２４を形成する段差面２４aに接触しないようになっている。
また、蓋部２の表面２Ａと一段目の段差部２３との間を形成する壁面は、一段目の段差部２３から蓋部２の表面２Ａに向けて幅広となるようなテーパー面２Ｂとされている。さらに、一段目の段差部２３と二段目の段差部２４との間を形成する壁面も、二段目の段差部２４から一段目の段差部２３に向けて幅広となるようなテーパー面２Ｃとされている。このようにテーパー面２Ｂ，２Ｃとすることによって、開閉の際に蓋部２が光学レンズ９０の端部に接触するのを回避することができる。
【００１９】
図６に示すように、治具本体１と蓋部２とを閉じた状態とした際に、治具本体１の第１の溝部１２と蓋部２の第１の溝部２２とによって筒状の第１の収納部４が形成される。第１の収納部４には、光学レンズ９０が収納されるようになっている。第１の収納部４の長さは、光学レンズ９０が例えば２０個以上収納可能な長さに設定されている。このような長さとすることで、光学レンズ９０の収納効率及び検査効率に優れる。
第１の収納部４には、複数の光学レンズ９０がその凸レンズ部９６を蓋部２の第１の溝部２２に配置するとともに、凸レンズ部９４を治具本体１の第１の溝部１２に配置して、長尺方向に沿って収納されている。
第１の収納部４に光学レンズ９０が収納された状態では、光学レンズ９０の周辺部９５，９７が治具本体１の一段目の段差部１３の段差面１３aと接触し、蓋部２の一段目の段差部２３の段差面２３aとは微小の間隔を有している。この微小の間隔は、光学レンズ９０の凸レンズ部９６と、蓋部２の段差部２４の間隔よりも小さい間隔であるとともに、光学レンズ９０の凸レンズ部９４と、治具本体１の段差部１４の間隔よりも小さい間隔である。これによって光学レンズ９０は、凸レンズ部９４，９６は治具本体１や蓋部２と接触しないで、収納部４内を長軸方向に移動可能な状態で緩やかに保持されおり、一段目の段差部１３及び一段目の段差部２３で形成される空間によって光学レンズ９０の周辺部９５，９７を緩やかに保持する第１の保持部が構成されている。
また、一段目の段差部１３の深さＦと一段目の段差部２３の深さｆとはほぼ等しく、これら深さＦや深さｆは光学レンズ９０の周辺部９５，９７の厚さの半分の厚さより微小に深い。つまり、光学レンズ９０の外周縁の厚さ方向における中心位置に、治具本体１の表面１Ａ及び蓋部２の表面２Ａが位置している。このように構成することで、治具本体１に対して蓋部２が開閉する際に、光学レンズ９０の端部と接触しないように設ける１Ｂと２Ｂのテーパー面を同じ大きさに成形することができるので、光学レンズ９０の周辺部９５，９７の蓋部２側と治具本体１側をそれぞれ位置決めすることができる。
また、テーパー面１Ｂとテーパー面２Ｂとは、光学レンズ９０の光軸と直交方向（以下横方向という）の位置を規制するように構成されている。つまり、収納部４内を、光学レンズ９０が横方向に微小に移動可能なように、テーパー面１Ｂ，２Ｂ、段差部１３、２３を構成することにより、光学レンズ９０の凸部９４，９６が収納部４の内面に接触しない状態で、収納部４内を移動可能に構成できる。
【００２０】
治具本体１と蓋部２とは、長手方向における一方の側面において例えば蝶番、スナップフィット、フック式、テープ等によって長手方向の開閉軸を中心として開閉可能に構成されている。本実施形態では、テープＳによって接合されている（図５、図６(a)参照）。
【００２１】
[収納ケース]
図１１、図１２に示すように、収納ケース５０は、第１のケース体６０と、第２のケース体７０とを備え、これらが溶着されて一体化されている。第１のケース体６０及び第２のケース体７０は、透明又は半透明の樹脂製であり、例えば射出成形によって形成される。
【００２２】
《第１のケース体》
図１３、図１４に示すように、第１のケース体６０は、長尺な矩形板状をなしている。第１のケース体６０の第２のケース体７０に対向する面には、第２のケース体７０の凹部７１に嵌め込まれる凸部６１が形成されている。
凸部６１には、光学レンズ９０を長尺方向に沿って並べて収納可能な第２の溝部６２が形成されている。
【００２３】
第２の溝部６２は、第１のケース体６０の両端面を貫通している。第２の溝部６２は、凸部６１を形成する凸面６０Ａから一段窪んで形成された段差部６３から形成されており、一段の階段状となっている。
図１２に示すように、凸部６１を形成する凸面６０Ａには、光学レンズ９０の周辺部９５が接触できるように構成されている。つまり、光学レンズ９０の周辺部９５が凸面６０Ａに接触されるようになっている。段差部６３の深さＭは、光学レンズ９０の凸レンズ部９４の高さ９４Ｍよりも深く形成されており、凸レンズ部９４が段差部６３を形成する段差面６３aに接触しないようになっている。
また、凸部６１の両側には、第２のケース体７０と溶着するための突起６５が形成されている。
【００２４】
《第２のケース体》
図１５、図１６に示すように、第２のケース体７０は、長尺な矩形板状をなしている。第２のケース体７０の第１のケース体６０に対向する面には、第１のケース体６０の凸部６１が嵌め込まれる凹部７１が形成されている。凹部７１には、光学レンズ９０を長尺方向に沿って並べて収納可能な第２の溝部７２が形成されている。
【００２５】
第２の溝部７２は、第２のケース体７０の両端面を貫通している。第２の溝部７２は、凹部７１を形成する凹面７０Ａから一段窪んで形成された段差部７３から形成されており、一段の階段状となっている。
【００２６】
図１２に示すように、凹部７１を形成する凹面７０Ａには、光学レンズ９０の周辺部９７が接触できるように構成されている。つまり、光学レンズ９０の周辺部９７が凹面７０Ａに接触されるようになっている。段差部７３の深さｍは、光学レンズ９０の凸レンズ部９６の高さ９６ｍよりも深く形成されており、凸レンズ部９６が段差部７３を形成する段差面７３aに接触しないようになっている。
【００２７】
第２のケース体７０の凹部７１に第１のケース体６０の凸部６１が嵌め込まれて、突起６５を第２のケース体７０に溶着することによって収納ケース５０が形成される。
そして、第１のケース体６０の第２の溝部６２と第２のケース体７０の第２の溝部７２とによって筒状の第２の収納部８が形成される。第２の収納部８には、複数の光学レンズ９０が収納されるようになっている。第２の収納部８の長さは、光学レンズ９０が例えば２０個以上収納可能な長さに設定されている。このような長さとすることで、光学レンズ９０の収納効率及び検査効率に優れる。
第２の収納部８には、複数の光学レンズ９０がその凸レンズ部９６を第２のケース体７０の第２の溝部７２に配置するとともに、凸レンズ部９４を第１のケース体６０の第２の溝部６２に配置して、長尺方向に沿って並べて収納されている。
第２の収納部８に光学レンズ９０が収納された状態では、光学レンズ９０の周辺部９５が凸面６０Ａに接触した状態で、周辺部９７と凹面７０Ａは微小の間隔を有している。これによって光学レンズ９０の凸レンズ部９４，９６は収納ケース５０内と接触しないで、収納部ケース５０内を長軸方向に移動可能な状態で緩やかに保持されている。また、凹部７１の横方向は、光学レンズ９０の光軸と直交方向（以下横方向という）の位置を規制するように構成されている。つまり、第２の収納部８内を、光学レンズ９０が横方向に微小に移動可能なように、凹面７１、や７０Ａ，６０Ａを構成することにより、光学レンズ９０の凸部９４，９６が第２の収納部８の内面に接触しない状態で、第２の収納部８内を移動可能に構成できる。
【００２８】
また、収納ケース５０の一端部を光学素子検査用治具１０の嵌合部３に嵌合させた際に、光学素子検査用治具１０の第１の収納部４の段差面１３aと収納ケース５０の第２の収納部８の凸面６０Ａ、及び、光学素子検査用治具１０の第１の収納部４の段差面２３aと収納ケース５０の第２の収納部８の凹面７０Ａとが互いに面一となっている。
なお、図１２（b）に示すように、収納ケース５０の第２の収納部８の開口した両端面には、当該両端面と同形状の断面を有するキャップＣがそれぞれ嵌め込まれており、これらキャップＣによって収納した光学レンズ９０が収納ケース５０の両端部から脱落しないようになっている。
【００２９】
次に、収納ケース５０に収納された光学レンズ９０を光学素子検査用治具１０に移し替える手順について説明する。
まず、収納ケース５０の一端部側のキャップＣを取り外し、収納ケース５０の一端部を光学素子検査用治具１０の嵌合部３に挿入して、収納ケース５０の一端部を光学素子検査用治具１０の嵌合部３に嵌合させる。
次いで、嵌合させたままの状態で、収納ケース５０をキャップＣを取り外した側が下になるようにして傾けて、収納ケース５０内の光学レンズ９０を光学素子検査用治具１０の第１の収納部４側へと移し替える。このとき、第１の収納部４の段差面１３a，２３aと、第２の収納部８の凸面６０Ａ及び凹面７０Ａとがそれぞれ面一となっているので、光学レンズ９０はスムーズに移動する。その際には、光学レンズ９０の凸レンズ部９４，９６は収納ケース５０及び光学素子検査用治具１０の内面には接触しないで、凸レンズ９４，９６の周辺部９５（又は周辺部９７）が凸面６０Ａ（又は凹面７０Ａ）に接触して移動する。このようにして収納ケース５０から光学素子検査用治具１０に光学素子を移し替える。
【００３０】
その後、光学素子検査用治具１０内に移動した光学レンズ９０を検査する場合には、上述したように、図１に示すように、治具本体１に対して蓋部２を開放した状態で、第１テーパー面１d及び第２テーパー面２dを載置面Ｘに当接させる。これによって、治具本体１及び蓋部２の各下面１c，２cが載置面Ｘに対して傾斜し、かつ、蓋部２が開放した状態で保持されるので、光学レンズ９０の側面等、外観上の不良がないかを顕微鏡等で検査する。また、不良があった場合には不良の光学レンズ９０を取り出す。
検査が終了したら、蓋部２を閉じた状態とし、その後、光学レンズ９０を別の場所に移動する場合には、上述とは逆に、収納ケース５０と光学素子検査用治具１０とを嵌合させたままの状態で、収納ケース５０をキャップＣを取り外した側が上になるようにして傾けて、光学素子検査用治具１０の第１の収納部４内の光学レンズ９０を収納ケース５０へと移し替える。
また、光学素子検査用治具１０に設けられたピンＰをはずして、嵌合部３の反対側から光学レンズ９０を押し出すように光学レンズ９０を移動させてもよい。
【００３１】
以上のように、本実施形態の光学素子検査用治具１０によれば、治具本体１と、治具本体１の開閉軸を中心として開閉可能に接合された蓋部２と、を備え、治具本体１と蓋部２とを互いに重ね合わせて閉じた状態とした際に、内部に光学レンズ９０を収納する筒状の第１の収納部４が形成され、治具本体１の下面１cを形成する側縁部のうち、蓋部２との接合部側における開閉軸方向に沿った側縁部が、面取りされた第１テーパー面１dとされ、蓋部２の下面２cを形成する側縁部のうち、治具本体１との接合部側における開閉軸方向に沿った側縁部が、面取りされた第２テーパー面２dとされ、治具本体１に対して蓋部２を開放した状態で、第１及び第２テーパー面１d，２dを載置面Ｘに当接させることによって、治具本体１の下面１c及び蓋部２の下面２cは、載置面Ｘに対してそれぞれ傾斜され、かつ、開放した状態で保持される。そのため、光学レンズ９０が傾いた状態で保持されることから、光学レンズ９０の側面を検査する際に、光学レンズ９０をピンセット等で掴んで顕微鏡で検査する必要もなく、蓋部２を開放した状態でそのまま光学レンズ９０を顕微鏡で検査することができる。よって、ピンセット等の使用により光学レンズ９０に傷等が生じることもなく、光学レンズ９０の側面を検査し易く、検査時間を短縮でき、安定して検査することができる。
また、第１及び第２テーパー面１d，２dの傾斜角度を適宜変更するだけで、光学レンズ９０の種類に対応した光学素子検査用治具１０とすることができる。
さらに、光学レンズ９０は収納ケース５０に収納されて運搬され、検査時に収納ケース５０内から光学素子検査用治具１０に外気に触れることなく容易に移し替えられるので、光学レンズ９０に埃やゴミ等が付着することなく検査を行うことができる。
【符号の説明】
【００３２】
１  治具本体
１c  下面
１d  第１テーパー面
２  蓋部
２c  下面
２d  第２テーパー面
４  第１の収納部
１０  光学素子検査用治具
９０  光学レンズ
Ｘ  載置面
【図１】
2014231987.tif 000003
【図２】
2014231987.tif 000004
【図３】
2014231987.tif 000005
【図４】
2014231987.tif 000006
【図５】
2014231987.tif 000007
【図６】
2014231987.tif 000008
【図７】
2014231987.tif 000009
【図８】
2014231987.tif 000010
【図９】
2014231987.tif 000011
【図１０】
2014231987.tif 000012
【図１１】
2014231987.tif 000013
【図１２】
2014231987.tif 000014
【図１３】
2014231987.tif 000015
【図１４】
2014231987.tif 000016
【図１５】
2014231987.tif 000017
【図１６】
2014231987.tif 000018